【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
液体の含フッ素エーテル化合物を含む処理対象物（ただし、前記処理対象物は液状媒体を含まない。）を、前記液体の含フッ素エーテル化合物のうち一部の含フッ素エーテル化合物を溶解し得る溶解用液状媒体を用いて、前記溶解用液状媒体に溶解したものと溶解しなかったものとに分離し、前記溶解用液状媒体に溶解しなかったものを回収することを特徴とする含フッ素エーテル化合物の製造方法。
【請求項２】
前記処理対象物と前記溶解用液状媒体とを混合し、前記一部の含フッ素エーテル化合物が前記溶解用液状媒体に溶解した溶液と、前記溶解用液状媒体に溶解しなかった前記処理対象物の残部とを分離し、前記溶解用液状媒体に溶解しなかったものを回収することによって、前記処理対象物から前記一部の含フッ素エーテル化合物を分離する、請求項１に記載の製造方法。
【請求項３】
前記液体の含フッ素エーテル化合物が、前記液体の含フッ素エーテル化合物の１種として環状含フッ素エーテル化合物を含み、
前記環状含フッ素エーテル化合物を溶解し得る溶解用液状媒体を用いて、前記処理対象物から前記環状含フッ素エーテル化合物を分離する、請求項１または２に記載の製造方法。
【請求項４】
前記液体の含フッ素エーテル化合物のうち一部の分子量領域の含フッ素エーテル化合物を溶解し得る溶解用液状媒体を用いて、前記処理対象物から前記一部の分子量領域の含フッ素エーテル化合物を分離する、請求項１または２に記載の製造方法。
【請求項５】
前記液体の含フッ素エーテル化合物が、前記液体の含フッ素エーテル化合物の１種として環状含フッ素エーテル化合物を含み、
前記環状含フッ素エーテル化合物と前記環状含フッ素エーテル化合物以外の含フッ素エーテル化合物のうち一部の分子量領域の含フッ素エーテル化合物とを溶解し得る溶解用液状媒体を用いて、前記処理対象物から前記環状含フッ素エーテル化合物および前記一部の分子量領域の含フッ素エーテル化合物を分離する、請求項１または２に記載の製造方法。
【請求項６】
前記一部の分子量領域の含フッ素エーテル化合物が、低分子量領域の含フッ素エーテル化合物である、請求項４または５に記載の製造方法。
【請求項７】
前記溶解用液状媒体のハンセン溶解度パラメータの分散項ｄＤが１２〜２０であり、水素結合項ｄＨが０〜２８である、請求項１〜６のいずれか一項に記載の製造方法。
【請求項８】
前記液体の含フッ素エーテル化合物が、末端に−ＯＲ２、−Ｃ（Ｏ）ＯＲ２、−Ｃ（Ｏ）Ｎ（Ｒ２）２または−Ｃ（Ｏ）Ｘ（ただし、Ｒ２は水素原子または炭素数１〜１０のアルキル基であり、Ｘはハロゲン原子である。）を有する極性基含有含フッ素エーテル化合物を含む、請求項１〜７のいずれか一項に記載の製造方法。
【請求項９】
前記極性基含有含フッ素エーテル化合物が、下式１で表される化合物である、請求項８に記載の製造方法。
Ａ１−Ｏ−［（Ｒｆ１Ｏ）ｍ１（Ｒ１Ｏ）ｍ２］−Ｂ１  式１
ただし、
Ａ１は、炭素数１〜２０のアルキル基、炭素数１〜２０のフルオロアルキル基またはＢ１であり、
Ｒｆ１は、炭素数１〜６のフルオロアルキレン基であり、
Ｒ１は、炭素数１〜６のアルキレン基であり、
ｍ１は、２以上の整数であり、
ｍ２は、０以上の整数であり、
ｍ１＋ｍ２は、２〜２００の整数であり、
（Ｒｆ１Ｏ）ｍ１は、２種以上のＲｆ１Ｏからなるものであってもよく、
（Ｒ１Ｏ）ｍ２は、ｍ２が２以上の整数のときに２種以上のＲ１Ｏからなるものであってもよく、
Ｂ１は、−Ｒｆ２ＣＨ２−ＯＲ２、−Ｒｆ２−Ｃ（Ｏ）ＯＲ２、−Ｒｆ２−Ｃ（Ｏ）Ｎ（Ｒ２）２または−Ｒｆ２−Ｃ（Ｏ）Ｘであり、
Ｒｆ２は、炭素数１〜６のアルキレン基または炭素数１〜６のフルオロアルキレン基であり、
Ｒ２は、水素原子または炭素数１〜１０のアルキル基であり、
Ｘは、ハロゲン原子である。
【請求項１０】
前記液体の含フッ素エーテル化合物が、環状含フッ素エーテル化合物をさらに含む、請求項８または９に記載の製造方法。
【請求項１１】
末端に−ＯＲ２、−Ｃ（Ｏ）ＯＲ２、−Ｃ（Ｏ）Ｎ（Ｒ２）２または−Ｃ（Ｏ）Ｘを有する前記含フッ素エーテル化合物から、前記末端に連結基を介して加水分解性シリル基を有する加水分解性シリル基含有含フッ素エーテル化合物を得る、請求項８〜１０のいずれか一項に記載の製造方法。
【請求項１２】
前記加水分解性シリル基含有含フッ素エーテル化合物が、下式２で表される化合物である、請求項１１に記載の製造方法。
Ａ２−Ｏ−（ＲＦ１Ｏ）ｍ−Ｂ２  式２
ただし、
Ａ２は、炭素数１〜２０のペルフルオロアルキル基またはＢ２であり、
ＲＦ１は、炭素数１〜６のペルフルオロアルキレン基であり、
ｍは、２〜２００の整数であり、
（ＲＦ１Ｏ）ｍは、２種以上のＲＦ１Ｏからなるものであってもよく、
Ｂ２は、下式ｇ１〜式ｇ７のいずれかで表される基である。
−ＲＦ２−（Ｘ１）ｐ−Ｑ１−ＳｉＲｎＬ３−ｎ  式ｇ１
−ＲＦ２−（Ｘ２）ｒ−Ｑ２１−Ｎ［−Ｑ２２−ＳｉＲｎＬ３−ｎ］２  式ｇ２
−ＲＦ２−［Ｃ（Ｏ）Ｎ（Ｒ３１）］ｓ−Ｑ３１−（Ｏ）ｔ−Ｃ［−（Ｏ）ｕ−Ｑ３２−ＳｉＲｎＬ３−ｎ］３  式ｇ３
−ＲＦ２−Ｑ４１−Ｓｉ［−Ｑ４２−ＳｉＲｎＬ３−ｎ］３  式ｇ４
−ＲＦ２−［Ｃ（Ｏ）Ｎ（Ｒ５）］ｖ−Ｑ５１−Ｚ［−Ｑ５２−ＳｉＲｎＬ３−ｎ］ｗ  式ｇ５
−ＲＦ２−Ｑ６１−Ｇ（Ｒ６）［−Ｑ６２−ＳｉＲｎＬ３−ｎ］２  式ｇ６
−ＲＦ２−Ｑ７１−［ＣＨ２Ｃ（Ｒ７１）（−Ｑ７２−ＳｉＲｎＬ３−ｎ）］ｙ−Ｒ７２  式ｇ７
ただし、
ＲＦ２は、炭素数１〜６のペルフルオロアルキレン基であり、
Ｒは、水素原子または１価の炭化水素基であり、
Ｌは、加水分解性基であり、
ｎは、０〜２の整数である。
式ｇ１において、
Ｘ１は、エーテル性酸素原子または−Ｃ（Ｏ）Ｎ（Ｒ１）−（ただし、ＮはＱ１に結合する。）であり、
Ｒ１は、水素原子またはアルキル基であり、
ｐは、０または１であり、
Ｑ１は、アルキレン基、炭素数２以上のアルキレン基の炭素−炭素原子間にエーテル性酸素原子もしくはシルフェニレン骨格を有する基、または炭素数２以上のアルキレン基
の炭素−炭素原子間もしくは（Ｘ１）ｐと結合する側の末端に２価のオルガノポリシロキサン残基もしくはジアルキルシリレン基を有する基である。
式ｇ２において、
Ｘ２は、エーテル性酸素原子、−ＮＨ−または−Ｃ（Ｏ）Ｎ（Ｒ２）−（ただし、ＮはＱ２１に結合する。）であり、
Ｒ２は、水素原子またはアルキル基であり、
ｒは、０または１（ただし、Ｑ２１が単結合の場合は０である。）であり、
Ｑ２１は、単結合、アルキレン基、または炭素数２以上のアルキレン基の炭素−炭素原子間にエーテル性酸素原子、−ＮＨ−、−Ｃ（Ｏ）−、−Ｃ（Ｏ）Ｏ−もしくは−ＯＣ（Ｏ）−を有する基であり、
Ｑ２２は、アルキレン基、または炭素数２以上のアルキレン基の炭素−炭素原子間にエーテル性酸素原子、−ＮＨ−もしくは２価のオルガノポリシロキサン残基を有する基であり、
２個の［−Ｑ２２−ＳｉＲｎＬ３−ｎ］は、同一であっても異なっていてもよい。
式ｇ３において、
Ｒ３１は、水素原子またはアルキル基であり、
ｓは、０または１であり、
Ｑ３１は、単結合、アルキレン基、または炭素数２以上のアルキレン基の炭素−炭素原子間にエーテル性酸素原子を有する基であり、
ｔは、０または１（ただし、Ｑ３１が単結合の場合は０である。）であり、
ｕは、０または１であり、
Ｑ３２は、アルキレン基、炭素数２以上のアルキレン基の炭素−炭素原子間にエーテル性酸素原子もしくはシルフェニレン骨格を有する基、または炭素数２以上のアルキレン基の炭素−炭素原子間もしくは（Ｏ）ｕと結合する側の末端に−Ｃ（Ｏ）Ｎ（Ｒ３２）−、２価のオルガノポリシロキサン残基もしくはジアルキルシリレン基を有する基であり、
Ｒ３２は、水素原子またはアルキル基であり、
３個の［−（Ｏ）ｕ−Ｑ３２−ＳｉＲｎＬ３−ｎ］は、同一であっても異なっていてもよい。
式ｇ４において、
Ｑ４１は、アルキレン基、または炭素数２以上のアルキレン基の炭素−炭素原子間にエーテル性酸素原子を有する基であり、
Ｑ４２は、アルキレン基、または炭素数２以上のアルキレン基の炭素−炭素原子間にエーテル性酸素原子もしくは２価のオルガノポリシロキサン残基を有する基であり、
３個の［−Ｑ４２−ＳｉＲｎＬ３−ｎ］は、同一であっても異なっていてもよい。
式ｇ５において、
Ｒ５は、水素原子またはアルキル基であり、
ｖは、０または１であり、
Ｑ５１は、アルキレン基、または炭素数２以上のアルキレン基の炭素−炭素原子間にエーテル性酸素原子を有する基であり、
Ｚは、（ｗ＋１）価のオルガノポリシロキサン残基であり、
Ｑ５２は、アルキレン基、または炭素数２以上のアルキレン基の炭素−炭素原子間にエーテル性酸素原子もしくは２価のオルガノポリシロキサン残基を有する基であり、
ｗは、２〜７の整数であり、
ｗ個の［−Ｑ５２−ＳｉＲｎＬ３−ｎ］は、同一であっても異なっていてもよい。
式ｇ６において、
Ｑ６１は、単結合、アルキレン基、または炭素数２以上のアルキレン基の炭素−炭素原子間にエーテル性酸素原子を有する基であり、
Ｇは、炭素原子またはケイ素原子であり、
Ｒ６は、水酸基またはアルキル基であり、
Ｑ６２は、アルキレン基、または炭素数２以上のアルキレン基の炭素−炭素原子間に
エーテル性酸素原子もしくは２価のオルガノポリシロキサン残基を有する基であり、
２個の［−Ｑ６２−ＳｉＲｎＬ３−ｎ］は、同一であっても異なっていてもよい。
式ｇ７において、
Ｑ７１は、単結合、アルキレン基、または炭素数２以上のアルキレン基の炭素−炭素原子間にエーテル性酸素原子を有する基であり、
Ｒ７１は、水素原子またはアルキル基であり、
Ｑ７２は、単結合またはアルキレン基であり、
Ｒ７２は、水素原子またはハロゲン原子であり、
ｙは、１〜１０の整数であり、
２〜１０個の［−Ｑ７２−ＳｉＲｎＬ３−ｎ］は、同一であっても異なっていてもよい。